Podtech/llm-jp-corpus-v4-ja_patent huggingface dataset:
(57)【要約】      （修正有）【課題】設置が容易で、かつ灌水作業後の散水ホースの片付けが容易なスプリンクラー装置を提供すること。【解決手段】主幹ホース２ａ，２ｂを移動しなくて済むように、灌水ポンプ１より中央部分に配管する。次に、主幹ホース２ａ，２ｂの左右方向に各スプリンクラー３ａ〜３ｄを配置し、枝配管ホース４ａ〜４ｄにて単独に繋ぎ、５ａ，５ｂの器具に接続する。この方法で配管すれば、３ａ〜３ｃのスプリンクラー本体をＡ・Ｂ・Ｃ・Ｄ方向に容易に移動出来る。スプリンクラー本体にも巻取り収納部があるので、作業終了後のホースの片付けも容易に行なえる。【選択図】図１
0003114307.tif 000002
【実用新案登録請求の範囲】
【請求項１】
灌水ポンプに接続され、その略中央に直線状にホース着脱器具を介して配置した主幹ホースと、前記ホース着脱器具を介した主幹ホースの左右方向に配置した複数の枝配管ホースを有することを特徴とする仮設配管並列スプリンクラー装置。
【請求項２】
金属材料等によりリング状に形成し、その上下に所定の間隔を隔てて対向配置し、ホース巻取り収納部を形成した台座部と、この台座部の中央に配置したＴ字型鉛管と、このＴ字型鉛管の上部に着脱自在のソケットを接合し、そのソケットを介して接続したスプリンクラー首部に導く立ち上がりパイプと、前記Ｔ字型鉛管の一端に接続した枝配管ホースとを有することを特徴とするスプリンクラー本体装置。
【考案の詳細な説明】
【技術分野】
【０００１】  本考案は、仮設配管並列スプリンクラー装置に関するものである。【０００２】  さらに詳しくは、灌水ポンプより主幹のホースを配管し、左右に枝配管ホースを配置して使用することにより自由にスプリンクラー本体の位置を変えられ、またスプリンクラー本体にも枝配管ホースの巻取り収納が出来、立ち上がりパイプも交換可能にして、しかもパイプの長さも自由に選べるスプリンクラー装置に係わるものである。
【技術背景】
【０００３】  従来では、例えば図４に示すように、畑又は乾燥地において仮設のスプリンクラー３ａ〜３ｄを使用する時、灌水ポンプ１より主幹のホース２ａ〜２ｄを数珠繋ぎにして使用している。このため、スプリンクラー３ａをＡ方向、スプリンクラー３ｃをＢ方向に動かすには全部の配管ホースを動かさなければならない。
【考案の開示】
【考案が解決しようとする課題】
【０００４】  仮設の灌水作業において、畑又は乾燥地の全面に散水する場合、上記のように配置したスプリンクラー本体を何箇所かに移動して散水しなければならないが、数珠繋ぎにして使用しているため移動が大変である。本考察では、このような欠点を解決しようとするものであって、灌水作業終了後の片付け作業も簡単に出来るような仮設配管並列スプリンクラー装置を提供することを目的とする。
【課題を解決するための手段】
【０００５】  本考案は、各スプリンクラー本体が簡単に動かせるように枝配管ホースをスプリンクラー一台づつ単独に繋ぐもので、主幹ホースを略中央部分に配管し、その左右にスプリンクラーを配置し中央の主幹に接続する。
このような構成にすることで、各スプリンクラーが単独のホースで配管されているので移動が容易に出来る。また、枝配管ホースが主幹ホースより細いので作業終了後の片付け作業も簡単に行なえる。
【考案の効果】
【０００６】  スプリンクラー本体に枝配管ホースを巻取り収納が出来るので使用する時、また作業終了後の片付け等が簡単に出来る。しかも、立ち上がりパイプの交換が出来るので使用する場所に合せてパイプの長さを自由に選ぶ事が出来る。
【考案を実施するための最良の形態】
【０００７】  図１は、本考案の仮設配管並列スプリンクラー装置の配置図である。【０００８】  図１において、灌水ポンプ１に主幹ホース２ａ，２ｂが着脱器具５ａ，５ｂを介して、略直列に接続される。これらの着脱器具５ａ，５ｂの図示左右方向に、上記の主幹ホース２ａ，２ｂの口径よりも細い口径の枝配管ホース４ａ〜４ｄが接続され、その先端に各スプリンクラー本体３ａ〜３ｄを配置し使用する。
【実施例】
【０００９】  図１において、灌水ポンプ１より主幹の仮設ホース２ａ，２ｂを畑又は乾燥地の略中央に配管の途中に枝配管ホースを接続できる器具５ａ，５ｂを繋ぐ主幹ホースの左右にスプリンクラー３ａ〜３ｄを配置し、枝配管ホース４ａ〜４ｄを５ａ，５ｂの器具に接続して使用する。スプリンクラーの散水は、その中心部には散水されず主に外周のみ散水する、いわゆるドーナツ型となるので、スプリンクラー全体の散水量が均等になるようにスプリンクラー本体を移動させることが不可欠になる。スプリンクラー本体３ａ，３ｃをＡ・Ｂ・Ｃ・Ｄ方向に移動するのも単独ホースにて配管されているため容易である。【００１０】図２および図３は、本考案であるスプリンクラー本体の装置の概要を示すものである。図２、図３において灌水作業の配管時、又は作業終了後のホースの片付け作業が容易である。その他にも散水時に水が掛かってはいけない場所もある。このスプリンクラーの本体の立ち上がりパイプ７とソケット８が着脱可能なので、立ち上がりパイプの長さを作業場所に合せて交換出来る。
【図面の簡単な説明】
【００１１】
【図１】本考案の灌水ポンプよりスプリンクラーまでの仮設配管ホースの平面図である。
【図２】スプリンクラー本体の立面図である。
【図３】スプリンクラー本体の平面図である。
【図４】従来の仮設配管ホースの平面図である。
【符号の説明】
【００１２】１    灌水ポンプ
２    主幹ホース
３    スプリンクラー本体
４    枝配管ホース
５    主幹ホースより枝配管ホースの着脱器具
６    枝配管ホース接続部分
７    立ち上がりパイプ
８    ソケット
９    鉛管Ｔ字型チーズ
１０  水止め栓
１１  リング状にした上部の鉄筋
１２  リング状にした下部の鉄筋
１３  斜線部分に枝配管ホース巻取り収納部
Ａ・Ｂ・Ｃ・Ｄは移動方向を示す。
【図１】
0003114307.tif 000003
【図２】
0003114307.tif 000004
【図３】
0003114307.tif 000005
【図４】
0003114307.tif 000006
(57)【要約】      （修正有）【課題】メガネを外して作業をする場合、メガネをテーブルの上に置いたり、胸のポケットに仕舞ったりする事により、発生していたメガネの落下及び置き忘れ等の問題と、手に持ったまま作業する事の不便さをなくす、さらに既存のブローチ等との組み合わせでファッションを楽しむ。【解決手段】ボタンやバッジ等にフックして使用する事を特徴とする、メガネ、サングラスのホルダーであり、又既存のピンブローチ、バッジ等も取りはずす事無く、容易に着脱できる。１は、取付具（ボタン、ペンダント等にフックする取付具）、２は、連結リング、３は、掛止め枠（メガネを引っ掛ける）である。【選択図】図１
0003114311.tif 000002
【実用新案登録請求の範囲】
【請求項１】
被服のボタン及びペンダント、バッジ等にフックして使用することを特徴とするメガネ、サングラスのホルダー。
【請求項２】
前記ホルダーは、バッジ、ペンダント、ブローチ、社章、タイピン等を装着したまま、着脱可能であることを特徴とする請求項１記載のメガネ、サングラスのホルダー。
【考案の詳細な説明】
【技術分野】
【０００１】  本考案は、シャツ、コート、被服等のボタンにフックして取付け、着脱可能なアクセサリーとして使用もできるメガサンホルダーに、メガネの（つる）を引っ掛けて使用するメガネ、サングラスのホルダーに関するものである。
【背景技術】
【０００２】  従来、メガネを外して作業をする場合、外したメガネを身近なテーブル等に置けばいいのだが、その様な場所が見当たらない時は、胸のポケットに仕舞ったり、手に持ったまま作業をしたりしてメガネを落としてしまったり、作業がしづらかったり、テーブルに置き忘れたりする事があり、不便であった。又、メガネホルダー付きのアクセサリーも提供されているが、アクセサリーに設けたタックピンが、メガネホルダー取付け具の挿入孔と被服を貫通して裏面より取付け金具に設置する為、着脱ごとに取り外さなければならず、又被服の裏面より差込固定具に挿入する必要があり面倒であった。
【特許文献１】  実開平７−１４４４９号公報
【考案の開示】
【考案が解決しようとする課題】
【０００３】  メガネを外して作業をする場合、メガネをテーブルの上に置いたり、胸のポケットに仕舞ったりする事により、発生していたメガネの落下及び置き忘れ等の問題と手に持ったまま作業する事の不便さや、メガネホルダーの着脱時の面倒さがあった。そこで、この考案は、メガネの落下及び置き忘れ、メガネホルダー着脱時の面倒さを改善し、両手が自由に使えて作業に不便を感じさせない、アクセサリーも兼ねたメガネのホルダーを提供することを課題とする。
【課題を解決するための手段】
【０００４】  以上の課題を解決するために、第一考案は、シャツ、コート等のボタンに引っ掛けて使用することを特徴とするメガネ、サングラスのホルダーである。
また、第二考案は、着脱可能であり、ピンブローチ、社章、バッジ、タイピン等を取り外すこと無く、組み合せて（引っ掛けて）使用でき、アクセサリーも兼ねることを特徴とするメガネ、サングラスのホルダーである。
【考案の効果】
【０００５】  第一考案、または第二考案によれば、ボタン及びブローチ等にフックして使用する為、メガネを置き忘れたりする事が無くなり、又、両手が自由に使えて作業の邪魔にもならない。さらに、ピンブローチやバッジ等と組み合わせて使用できる為、アクセサリーとしてのバリエーションも増えファッションを楽しむ事ができる。さらにボタンやブローチ等をしたままの状態で容易に着脱できるメリットがある。
【考案を実施するための最良の形態】
【０００６】  この考案の一実施形態を、図１に示す。
取付け具１と連結リング２と掛止め枠３からなるメガサンホルダーであり、ボタンに取付け具１をフックして、掛止め枠３にメガネのつる（テンプル）を引っ掛けて使用する。【０００７】  メガサンホルダーの材質は金属が望ましいが、強化プラスチック等、物理的強度のある材質であればなんでもよい。【０００８】「実施形態の効果」
この実施形態によれば、ボタン、ブローチ等を取付けたままで容易に着脱ができ、アクセサリーとしても使用できる。又、ネックレスに設置されたメガネホルダーに比べ、左右および前方へのゆれを最小限に止めた形態になっている為、シャツの第二ボタンに取付けた場合など、身体の中心でもあり、物に当たる心配も少なく作業がしやすい。【０００９】「他の実施形態」
図１の実施形態では、取付け具１はボタン等をくぐらしてフックするが、他の実施形態、図２の取付け具４の様な横からのフックでもよく、ボタンにフックできる形状であればどのような形状でもよい、又、図１の掛止め枠３は円形であるが図２の掛止め枠５のごとく、ひし形、楕円、四角等、どのような形状でもよく、要するにメガネのテンプル（つる）を引っ掛けられる形状であれば良い。
【図面の簡単な説明】
【００１０】
【図１】この考案の一実施形態を示す説明図である。
【図２】形状の異なったメガサンホルダーの斜視図である。
【図３】ボタンにメガサンホルダーを引っ掛けた状態を示す側面図である。
【図４】メガサンホルダーにメガネを引っ掛けた状態を示す正面図である。
【符号の説明】
【００１１】  １  取付け具（ボタン、ペンダント等にフックする取付け具）
２  連結リング
３  掛止め枠（メガネを引っ掛ける）
４  取付け具（１と同じ目的をもつ形状の異なった取付け具）
５  掛止め枠（３と同じ目的をもつ形状の異なった掛止め枠）
６  シャツ
７  ボタン
８  糸
９  メガネのテンプル（つる）
【図１】
0003114311.tif 000003
【図２】
0003114311.tif 000004
【図３】
0003114311.tif 000005
【図４】
0003114311.tif 000006
(57)【要約】【課題】  常時、任意に着丈を調節して、外観よく着用できるパンツを提供する。【解決手段】  縮緬など柔軟な布帛からなるパンツ１の股下の寸法を、通常の着丈より１２〜２２ｃｍ長く形成し、かつ、裾にゴム３を装着し、裾幅を該ゴム３の存在によって伸縮可能とすることにより、裾を内側に折り曲げ、ゴムを装着した裾の位置を脹脛など適当な位置に固定することにより、パンツ１の着丈を任意に調節して着用できる。【選択図】図１
0003114316.tif 000002
【実用新案登録請求の範囲】
【請求項１】
柔軟な布帛からなるパンツであって、股下の寸法が通常の着丈より１２〜２２ｃｍ長く形成されており、かつ、裾にゴムを装着し、裾幅を該ゴムの存在によって伸縮可能としたことを特徴とするパンツ。
【請求項２】
前記布帛が縮緬である請求項１のパンツ。
【請求項３】
前記ゴムが幅１〜３ｃｍの平ゴムである請求項１又は２のパンツ。
【考案の詳細な説明】
【技術分野】
【０００１】
本考案は、足首まである長さで着用するパンツに関する。
【背景技術】
【０００２】
この種のパンツは、ハイヒールを履いた場合、靴を脱いで畳の上を歩く場合、トイレに入る時などで、長さを調整しないと、外観的に、また、裾の汚れ易さなどから問題があった。そこで、急場凌ぎに、裾を折り曲げることもあるが、縮緬などの柔軟な布帛からなるパンツでは、折り曲げ部分が簡単に戻り、かえって見苦しく、また、裾が汚れ易いものであった。
【考案の開示】
【考案が解決しようとする課題】
【０００３】
本考案は、柔軟な布帛からなるパンツを任意に長さを調節して、どのような長さでも、外観よく着用できるものとすることを課題とする。
【課題を解決するための手段】
【０００４】
本考案は、柔軟な布帛からなるパンツの股下の寸法を、通常の着丈(足首までの長さ）より１２〜２２ｃｍ(好ましくは１６〜２０ｃｍ）長く形成し、かつ、裾にゴムを装着し、裾幅を該ゴムの存在によって伸縮可能としたことによって、前記課題を解決した。
【０００５】
即ち、本考案のパンツは、裾を内側に折り曲げ、ゴムを装着した裾の位置を脹脛など適当な位置に固定することにより、パンツの丈を任意に調節して着用できるのである。裾には、ゴムが装着されているので、着用後、パンツの丈は、非常に簡単に自由に変更できるのである。
【０００６】
本考案では、このように、ニットや縮緬など、折目の入りにくい柔軟な布帛からなるパンツの裾を長く形成し、ゴムを装着することによって、裾を内側に折り込み、膝下の適当な位置に、裾をゴム弾性により固定することで、パンツが最初から所望の着丈に縫製されているかのような外観で、常に美しく着用できるものとなる。
【０００７】
裾に装着されるゴムは、どのような種類のものを使用してもよいが、適当な幅で裾を足に固定できるようにするのが好ましく、例えばゴム糸を数段に渡って縫い込む、又は裾にゴム通しを形成し、ここに幅１〜３ｃｍの平ゴムを通して装着するのが好ましい。後者の場合、ゴム通しには、開口部を設け、使用者がゴムの長さを調節可能としておくのがよい。
【考案の効果】
【０００８】
本考案のパンツは、裾を内側に折り込み、裾に存在するゴムにより、足の脹脛など適当な位置に裾を固定することにより、何時でも自由に着丈を調節することができる。例えば、ハイヒールを履いている時は長く、畳の上では引きずらないように少し短く、また、トイレに入る時は更に短くというように、着丈を自由に変化させることができる。
更に、背の低い人から背の高い人まで、一枚のパンツを、オーダーメイドしたかのように、美しく着用できる。また、色々なデザインパンツのデザインが変化しないで、すっきり着用できる機能性をも持っている。
【考案を実施するための最良の形態】
【０００９】
本考案の一例を図面に従って説明する。
図１の例は、ポリエステル縮緬からなるものであり、パンツ１の丈が通常に着丈より１８ｃｍ長く形成されており、周囲４６ｃｍの裾には、ゴム通し２が設けられ、ここに長さ２８ｃｍ、幅２ｃｍの平ゴム３が通されている。
【００１０】
このパンツ１は、裾を内側に折り込み、足の膝下の適当位置に、ゴム３の位置を固定することにより、パンツの丈を、自然に、適当な長さに調節して着用できるのである。
【００１１】
例えば、図２の如く、通常の長さ(ａ）、短い長さ(ｂ)、前と後で変化した長さ（ｃ）等と自由に長さを変化させて、安定して着用できるのである。
【００１２】
また、生地が柔軟な布帛（この例ではポリエステル縮緬）からなるため、裾を折り曲げ、着用した際に、折り曲げ部分は、最初から、パンツの裾となるように縫製したかのような外観で、非常に美しく着用出来るものとなる。
【００１３】
なお、この例では、図３の如く、ゴム通し２を、裾を折り返してロックミシンで押さえることにより、外観よく形成されており、また、ゴム通し２のゴム通し穴４は、股下５の縫製ライン上に位置するように形成されている。
【図面の簡単な説明】
【００１４】
【図１】図１は本考案の一例で、一方の裾を折り曲げた状態を示す概観図である。
【図２】図２は、図１のパンツの着用状態を示す説明図である。
【図３】図３は、図１のパンツの裾の状態を示す、説明図である。
【符号の説明】
【００１５】
１      パンツ
２     ゴム通し
３     ゴム
４     ゴム通し穴
５     股下
【図１】
0003114316.tif 000003
【図２】
0003114316.tif 000004
【図３】
0003114316.tif 000005
【手続補正書】
【提出日】平成17年7月7日(2005.7.7)
【手続補正１】
【補正対象書類名】実用新案登録請求の範囲
【補正対象項目名】請求項１
【補正方法】変更
【補正の内容】
【請求項１】
柔軟な布帛からなるパンツであって、股下の寸法が、足首までの長さより１２〜２２ｃｍ長く形成されており、かつ、裾にゴムを装着し、裾幅を該ゴムの存在によって伸縮可能としたことを特徴とするパンツ。
(57)【要約】      （修正有）【課題】干し物の数を増やすことができる、室内や室外で使用する折りたたみ式物干し具を提供すること。【解決手段】金属棒を四角状に曲げてフレームをつくり、該フレームの中に一定の間隔で複数本の金属棒を横に渡して取付けたものを平面物干し部１とし、該平面物干し部の左右に同じく金属棒でつくった、引掛け部を設けた三角型の支持部２．３を、左右に回動自在に取付け、他方、金属棒をコの字形に曲げてフレームをつくり、該フレームの中に一定の間隔で複数本の金属棒を横に渡して取付け、フレームの上端部左右に小さいカラビナ４ａを取付けてこれを移動物干し部４とした、折りたたみ物干し具。【選択図】図１
0003114331.tif 000002
【実用新案登録請求の範囲】
【請求項１】
金属棒を四角状に曲げてフレームをつくり、該フレームの中に一定の間隔で複数本の金属棒を横に渡して取付けたものを平面物干し部とし、該平面物干し部の左右に同じく金属棒でつくった、引掛け部を設けた三角型の支持部を、左右に回動自在に取付け、他方、金属棒をコの字形に曲げてフレームをつくり、該フレームの中に一定の間隔で複数本の金属棒を横に渡して取付け、フレームの上端部左右に小さいカラビナを取付けてこれを移動物干し部とした、折りたたみ物干し具。
【請求項２】
移動物干し部は、カラビナによって平面物干し部の一端に垂下したり、平面物干し部の上端に乗せて平面物干し部の延長としたり、あるいは平面物干し部の前端部にカラビナで取付けた状態で下端部を持ちげて左右の三角型支持部に持たせかけた斜め状態で使用したりすることができる構造とした、請求項１に記載の、折りたたみ物干し具。
【考案の詳細な説明】
【技術分野】
【０００１】  本考案は、室内あるいは室外において使用する、折りたたみ物干し具に関するものである。
【背景技術】
【０００２】  従来、室内外で使用する壁掛け式の物干し具については色々のものが提案されている。また、折りたたみ式のものも種々提案されている。【０００３】  金属棒を組合せたもので横に金属棒を取付けた物干し具としては、例えば下記の文献がある。
【特許文献１】  実用新案登録第３１０３７６８号
【考案の開示】
【考案が解決しようとする課題】
【０００４】  実用新案登録第３１０３７６８号においては、横に渡した複数本の金属棒が伸縮する構造として、干し物に合わせた巾に調節できるものとしている。しかし、これだけでは干し物の数が限られたものとなってしまう。
本考案においては、別途に移動物干し部を設けることにより、平面物干し部を延長したり、垂直物干し部として増設したり、あるいは斜め物干し部として増設したりして、一度に干す干し物の数を増やすことができる構造としたものである。
また、折りたたむことができるようにして、収納に場所を取らない構造とした。
【課題を解決するための手段】
【０００５】  金属棒を四角状に曲げてフレームをつくり、該フレームに一定の間隔で複数本の金属棒を横に渡して取付けたものを平面物干し部とし、該平面物干し部の左右に同じく金属棒でつくった、引掛け部を設けた三角型の支持部を、左右に回動自在に取付ける。他方、金属棒をコの字形に曲げてフレームをつくり、該フレームに一定の間隔で複数本の金属棒を横に渡して取付け、フレームの上端部左右に小さいカラビナを取付けてこれを移動物干し部とする。
移動物干し部は、カラビナによって平面物干し部の一端に垂下したり、平面物干し部の上端に乗せて平面物干し部の延長としたり、あるいは平面物干し部の前端部にカラビナで取付けた状態で下端部を持ちげて左右の三角型支持部に持たせかけた斜め状態で使用したりすることができる構造とする。
【考案の効果】
【０００６】  移動物干し部を設けることにより、一度に干せる干し物の数を増やすことができる。
干し物の状況により、移動物干し部を平面的に延長したり、垂下して使用したり、あるいは斜め状態で使用する等いろいろな使い方ができる。
また、折りたたみ式なので、収納に場所を取らない。
【考案を実施するための最良の形態】
【０００７】  本考案の構造を図１により説明する。
（イ）金属棒を四角状に曲げてフレームをつくり、該フレームの中に一定の間隔で複数本の金属棒を横に渡して取付ける。中に渡す金属棒の本数は５〜６本位が適当と思われる。
これを平面物干し部（１）とする。
（ロ）上記平面物干し部（１）の側面に三角形の左側支持部（２）及び右側支持部（３）を、左右に回動自在に取付ける。
左側支持部（２）には引掛け部（２ａ）を設け、右側支持部（３）には引掛け部（３ａ）を設ける。これにより、室内で使用するときは壁掛式で使用でき、室外ではベランダの縁に掛けて使用することができる。
左側支持部（２）及び右側支持部（３）の斜行棒の中間に、左側支持部（２）及び右側支持部（３）を垂直に立てたときに内側に向いた曲げ部（２ａ）及び曲げ部（３ａ）を設ける。これにより、移動物干し部（４）を斜めに掛けたとき、そのフレームが曲げ部（２ａ）及び曲げ部（３ａ）に支持され、移動物干し部（４）が中に落ち込むのを防止する。
（ハ）金属棒をコの字形に曲げたフレームをつくり、この中に横に複数本（４〜５本が適当と思われる。）の金属棒を渡して取付け、フレームの左右上端に小さいカラビナ（４ａ）を取付ける。
これを移動物干し部（４）とする。
尚、移動物干し部（４）のフレームの巾は、平面物干し部（１）のフレームの巾より若干短くする。【０００８】  移動物干し部（４）のカラビナ（４ａ）は、これに換えてフレームの先端部を丸めてその口を少し開いたものとすることも可能である。【０００９】  金属棒は、ステンレスやアルミを用いる場合はそのままでもよいが、鉄を用いる場合は被覆の棒を用いることが望ましい。【００１０】  本考案を使用するとき、干し物の状況により移動物干し部（４）は平面物干し部（１）に垂下したり、平面物干し部（１）の前方に乗せてその延長としたり、あるいは斜め状態で使用したりという使い分けをすることができる。
また、移動物干し部（４）を複数設ければ、さらに多様な使い方ができる。
【図面の簡単な説明】
【００１１】
【図１】本考案において移動物干し部を垂下させた場合の斜視図
【図２】本考案において移動物干し部を平面的に延長した場合の斜視図
【図３】本考案において移動物干し部を斜めに掛けた場合の斜視図
【図４】本考案を広げた状態の平面図
【図５】本考案を折りたたみ、移動物干し部を取外した状態の平面図
【符号の説明】
【００１２】１    平面物干し部
２    左側支持部
２ａ  引掛け部
２ｂ  曲げ部
３    右側支持部
３ａ  引掛け部
３ｂ  曲げ部
４    移動物干し部
４ａ  カラビナ
【図１】
0003114331.tif 000003
【図２】
0003114331.tif 000004
【図３】
0003114331.tif 000005
【図４】
0003114331.tif 000006
【図５】
0003114331.tif 000007
(57)【要約】【課題】  コンクリートパイルと鋼管パイルの長所を兼ね備えた複合パイルに関する。【解決手段】  円筒形状であって外殻に鋼管を設け、この空間にコンクリートを充填した複合柱状体で、耐圧強度があって、しかも水平方向のひずみに対しても十分な強度を有する柱状体で、耐震性の基礎杭として使用できる。【選択図】    図１
0003114336.tif 000002
【実用新案登録請求の範囲】
【請求項１】
円筒形であって外殻に鋼管を配し、中心の空間にコンクリートを充填した複合コンクリート柱体。
【請求項２】
外殻の鋼管内に補強用の鉄筋を配し、コンクリートを充填した複合コンクリート柱体。
【考案の詳細な説明】
【技術分野】
【０００１】
本考案は、鋼管とコンクリートの複合柱体であって、長尺の柱体は構造物の基礎杭として、又小径のものは建築用の杭として様々な使用が可能な複合柱体に関する。
【背景技術】
【０００２】
基礎杭としての鋼管パイルやコンクリートパイルは広く知られているがなかでもコンクリートパイルは施工の際のハンマーによる打撃や施工後の地上構造物の負荷に強い耐圧力を有するものとして一般に使用されている。
【特許文献１】特願平１１−２６９８９１号公報
【考案の開示】
【考案が解決しようとする課題】
【０００３】
しかし、コンクリートパイルは鉄筋を配筋していても横方向の負荷に対しては比較的弱く鋼管パイルに比較してかなり低下する。
【課題を解決するための手段】
【０００４】
考案者は、この点を解決するため鋭意試作研究の結果本考案に到達したものであって、本考案は鋼管の中にコンクリートを充填することによって複合パイルとし、コンクリート杭の耐圧強度と鋼管のもつ横方向の強度を兼ねそなえることに成功したもので、地震などの水平方向のひずみに対して十分な強度を発揮するものである。
【考案の効果】
【０００５】
上述のように本考案の複合コンクリート柱は、パイルとして使用した場合、コンクリートパイルとしての耐圧強度と鋼管のもつしなやかさによって複合的な強さが求められる。このため基礎杭としても、又は柱体としても利用度合が大きく、相乗的な作用効果が顕著に現れる。
【実施例】
【０００６】
添付図面により本考案の複合柱体を説明すると、図は外殻を鋼管（１）であり、この中にコンクリートを充填した柱体の一部分を切断した説明図であり、成形された柱体の大きさは使用目的によって様々である。
【０００７】
例えば図示の場合は全体の直径が１１４ｍｍ内径が１０５ｍｍの鋼管の中にコンクリートを充填している。従って鋼管の肉厚は、１１４−１０５＝９であり肉厚は４．５ｍｍである。したがって基礎杭の場合は長さが５ｍとか７ｍなど考えられ、また径が２０ｃｍとか２４ｃｍなど必要に応じて成形が可能である。
【０００８】
外殻の鋼管（１）の内側にはコンクリートとの接合を考えて爪状の突起を設けることも出来る。
【０００９】
この複合柱体の成形に当っては鋼管（１）内に、コンクリートに振動を付与して振動と、圧入によって充填する。そしてコンクリート層には補強のための鉄筋を配筋することも可能である。
【産業上の利用可能性】
【００１０】
本考案は上述のように鋼管とコンクリートの複合体のため基礎杭として使用した場合は圧縮強度および水平方向の強度があるため地震等の地盤の変動に対して強度があるため、その利用価値は大きい。
【図面の簡単な説明】
【００１１】
【図１】円柱状の柱体の断面図
【符号の説明】
【００１２】
１  鋼管
２  コンクリート
【図１】
0003114336.tif 000003
(57)【要約】      （修正有）【課題】斬新な外観と食感を持った、すしやおにぎりと同類の主食として食卓或いは外出先で食することが可能な飯類を詰めることができる漬物を提供する。【解決手段】少なくとも１つの開口１１を有する袋状の漬物１０に、内部に飯類を詰めることができるようにし、硬い物が食しにくい人でも容易に食することができるようにスリット目１３を入れる。開口は２個設けて筒状としてもよい。【選択図】図１
0003114332.tif 000002
【実用新案登録請求の範囲】
【請求項１】
少なくとも１つの開口を有し袋状または筒状に漬物を形成し、その中に飯類を詰めることができる漬物。
【請求項２】
漬物にスリット目を入れて硬いものが食しにくい人でも容易に食せることを特徴とした請求項１記載の漬物。
【考案の詳細な説明】
【技術分野】
【０００１】  本考案は漬物に関し、特に、飯類を詰めることができる漬物に関する。
【背景技術】
【０００２】  従来の漬物としては、漬物を姿のままとして、もしくはぶつ切りにカットしてあるのが一般的である。
【考案の開示】
【考案が解決しようとする課題】
【０００３】  従来のものは、漬物を一旦食しやすくカット、スライスした後、飯類と別々に食するしかなかった。【０００４】  また、漬物は硬さがあるがために、硬いものが食しにくい人にとってはそのまま食するには不向きな食材であった。【０００５】  本考案は、このような実情に鑑み、従来にない斬新な形状と食感とを持った、漬物を提供しようとするものである。
【課題を解決するための手段】
【０００６】  上記課題を解決するために、本考案の漬物は、少なくとも１つの開口を有し袋状または筒状に漬物を加工し、その中に飯類を詰めることができるようにしたことを特徴としている。【０００７】  また、前記漬物にスリット目を入れることにより、硬いものが食しにくい人でも容易に食することができる。
【考案の効果】
【０００８】  本考案の漬物によれば、飯類を詰めて食することができるという、従来の漬物にない形状及び食感を得られる優れた効果を奏する。また、従来のぶつ切りしただけの漬物に対し、漬物と飯類とを別々に食する必要もない。【０００９】  この考案によれば、漬物に飯類を詰めた時の外観が視覚による食欲を増進させる。
【考案を実施するための最良の形態】
【００１０】  以下、本考案の実施の形態は添付図面を参照して説明する。【００１１】  図１および図２は本考案の漬物の斜視図である。本考案の漬物１０は図１のように、１つの開口１１を有した袋状、または図２のように、もう一方の開口１２を有し筒状に漬物を形成し、食し易くスリット目１３を入れ、その中に飯類を詰めることができるようにした。【００１２】  以下、詳細に説明する。【００１３】  図１の漬物１０は棒状の漬物を断面が袋状になるように半分にカットし、スライスしたものである。中に飯類を詰めることができるよう、１つの開口１１を破線で示した深い袋状になるよう形成してある。【００１４】  図２の漬物１０は棒状の漬物を筒状になるように半分にカットし、もう一方も開口１２し、中に飯類が詰めることができるよう、破線で示した深い筒状に形成してある。【００１５】  漬物１０を図１の袋状または図２の筒状になるよう形成しただけでは、硬いものが食しにくい人には容易に食することができない。そこで、漬物にスリット目１３を入れ、食し易くした。【００１６】  スリット目１３を入れる場合は、図１および図２の斜線に入れる方法のほか、縦線、横線そして交差といずれの方法を採用しても良い。【００１７】  本考案の漬物１０は、図１のように袋状、または図２のように筒状に漬物を開口して、飯類を詰められるようにし、漬物と飯類とを同時に食せるようになった。【００１８】  勿論、漬物１０を袋状または筒状にし、その中に飯類を詰めることができるようにしたことにより、従来にない外観を楽しむことができる。また、漬物にスリット目１３を入れると、硬いものが食しにくい人でもより容易に食することができる。
【図面の簡単な説明】
【図１】本考案の袋状の漬物の斜視図である。
【図２】本考案の筒状の漬物の斜視図である。
【符号の説明】
１０    袋状または筒状漬物
１１    開口
１２    もう一方の開口
１３    スリット目
【図１】
0003114332.tif 000003
【図２】
0003114332.tif 000004
(57)【要約】【課題】従来の甘藷苗の手作業による植付け作業を能率化し、植付量を大幅に向上させると共に、作業を簡易化し疲労を軽減する。【解決手段】先端に下方に向け、同方向に凸出して苗挟持部２を設けた一対の保持杆１の下部を支軸３によって軸支し、軸支位置より下方の把持部４の開閉操作によって先端側の保持杆１を開閉可能とし、先端に設けた苗挟持部２に苗を挟持し、保持杆１先端を畝にビニルフィルムを貫通し突き刺して挟持した苗を植え付け可能となした甘藷苗の植付具を提供する。【選択図】    図 １
0003114338.tif 000002
【実用新案登録請求の範囲】
【請求項１】
先端に苗挟持部を設けた一対の保持杆の下部を支軸によって軸支し、軸支位置より下方の把持部の開閉操作によって先端側の保持杆を開閉可能とし、先端に設けた苗挟持部に苗を挟持し、保持杆先端を畝に突き刺して挟持した苗を植付け可能となしたことを特徴とする甘藷苗の植付具。
【考案の詳細な説明】
【技術分野】
【０００１】
本考案は畝に甘藷苗を能率よく植え付けるための植付具に関するものである。
【背景技術】
【０００２】
甘藷苗の植え付けは従来、砂土を盛り上げた畝に１本宛、手作業で苗を横に寝させて植付け、その上に保温のため、また草が生えないように黒いビニールフィルムを被せ、更に藁を載せ、風により散逸しないようおもりとして土をおいておくのが通常であり、全て手作業で器具類を用いることは殆ど行なわれていない。
【考案の開示】
【考案が解決しようとする課題】
【０００３】
そのため、甘藷苗の植付けは手間と時間がかかり極めて非能率な作業であった。また一々、苗を植え付け、藁を被せ、土を置かなければならないため疲労も激しかった。
【０００４】
本考案は上述のような実状に鑑み、特に手作業的であるが簡単に苗植付けを可能ならしめる器具を見出すことにより従来の甘藷苗の植付け作業を能率化し、植付け量を大幅に向上させると共に、植付け作業を簡易化して疲労を大幅に軽減せしめることを目的とするものである。
【課題を解決するための手段】
【０００５】
即ち、上記目的に適合する本考案の特徴は、先端に苗挟持部を設けた一対の保持杆の下部を支軸によって軸支し、軸支位置より下方の把持部の開閉操作によって先端側の保持杆を開閉可能とし、先端に設けた苗挟持部に苗を挟持し、保持杆先端を畝に突き刺して挟持した苗を植付け可能となした甘藷の植付具にある。
【０００６】
この植付具は、苗植付作業を行なうに際し作業者が畝の間に適宜台車の車輪を配して移動しながら植付具を把持し、先端の挟持部を開閉させて、側方に保持する甘藷苗を順次、１本宛、保持杆先端部で挟持し、挟持したまま保持杆先端を畝に被覆されているビニルフィルム上より該フィルムを貫通して植付け部位に斜め方向に突き刺して植え付け、植え付けた後は苗挟持を解放し、引き出して次の苗挟持を行ない、順次、繰り返して畝に苗を植え付けて行く。
【０００７】
このとき、ビニルフィルム内に挿し込むのは苗の略９０％であり、以後の藁載せや土盛りによる風防を行なう必要もなく、充分、苗が植え付けられ保持される。
【考案の効果】
【０００８】
以上の本考案によれば、植付具先端に甘藷苗を挟持させて、畝に突き刺すだけで次々に甘藷苗を植付けることができ、しかも突き刺すため苗の９０％位まで深く挿入することができるので、従来、必要とされていた藁載せや土置きも必要なく、従って甘藷苗の植付け作業を簡略化し、その能率を大幅に向上させることができる格段の効果が期待される。
【考案を実施するための最良の形態】
【０００９】
以下、更に添付図面に基づいて本考案の具体的な態様を説明する。
【００１０】
図１及び図２は本考案に係る植付具の１例を示す正面図及び側面図であり、これら図において、１は先端に苗挟持部２を有する所要長さの保持杆であり、左右一対の保持杆１がその下部において支軸３によって開閉自在に軸支されており、軸支位置より下方に指を挿入する環状部を有して把持部４が設けられている。そして、この把持部４の開閉操作によって軸支位置より上方の一対の保持杆１が開閉し得るようになっていて、その先端に下方へ向け、同方向に突き出て半円板状の前記挟持部２が設けられている。
【００１１】
ここで、保持杆１の長さは苗植付けに適切な長さであればよく、また、挟持部２の大きさも苗の挟持ができれば別段、大きさ，形状を問うものではない。なお、図示例では保持杆１が先端まで延びる杆状部材５の下半部に被着部材６を被着することによって構成されているが、別段、被着部材を被着することなく、杆状部材５の大きさ，形状を考慮することによって杆状部材のみで保持杆１を形成しても差し支えない。
【００１２】
図３は上記植付具を用いて甘藷苗を植え付ける態様であり、苗植付けのため作られた砂，土などの盛り上げによる畝７にビニルフィルム、通常、保温等のため黒色のビニルフィルム8を被覆して準備する。そして、図示していないが、作業者が畝７の間の溝部を移動する車輪付き台車に腰を下ろして畝を一方向に移動させつつ図示のように保持杆の先端挟持部２に近傍側方に並列配置した２５〜３０ｃｍ長さの甘藷苗を挟み、畝７に対しビニルフィルム７の上より保持杆を通し突き刺して畝７の盛り土内に苗を寝させた状態で略９０％近くを挿入して植え付け、植え付け後、苗を離して保持杆を引き抜く。これを順次、台車に乗って前方又は後方へ移動して行ない畝に苗を植え付けて行く。
【００１３】
なお、甘藷苗を挿入した畝の盛り土はビニルフィルムによって被覆されているため、保持杆の突き刺しによって苗は確実に押さえられ、特に従来のように藁を載せ、おもしのための土を置くことの必要はなくなる。
【００１４】
このようにして、甘藷苗を畝の盛り土に効率よく植付けすることができ、従前の手作業によるような藁，おもしを置く必要はなくなり、能率よく甘藷苗の植付けを達成することができる。
【図面の簡単な説明】
【００１５】
【図１】本考案植付具の１例を示す正面図である。
【図２】同植付具の側面図である。
【図３】上記植付具を用いて植付けする状態図である。
【符号の説明】
【００１６】
１：保持杆
２：挟持部
３：支軸
４：把持部
５：杆上部材
６：被着部材
７：畝
８：ビニルフィルム
【図１】
0003114338.tif 000003
【図２】
0003114338.tif 000004
【図３】
0003114338.tif 000005
(57)【要約】【課題】  コンクリート製Ｕ型側溝蓋を敷設して、利用している箇所の道路排水を、一定方向に素早く側溝内に誘導すべく、内側に向けて傾斜を付けたコンクリート製側溝蓋である。【解決する手段】  Ｕ型側溝のコンクリート製蓋（1）表面（2）に、中心に向けて傾斜（3）を付けることを特徴としている。【選択図】  図１
0003114372.tif 000002
【実用新案登録請求の範囲】
【請求項１】
側溝蓋（1）の表面（2）に、内側に向けて下り傾斜（3）を付けた集水機能付き側溝蓋
【考案の詳細な説明】
【技術分野】
【０００１】
この考案は、側溝蓋表面に、内側へ向けて下り傾斜を付けた物である。
道路などの側溝の蓋に関し、特に雨水が貯まらない側溝蓋に関する。
【背景技術】
【０００２】
従来から道路を広く使用すること、更に安全性を向上することを目的に側溝には蓋が使用されているが、蓋の形状が平らだった為に雨水が貯まっていた。
【考案の開示】
【考案が解決しようとする課題】
【０００３】
従来の側溝蓋には次のような欠点があった。
（イ）  蓋の表面は、フラットに出来ているため、道路の排水が素早くできない。
（ロ）  表面がフラットなために、水が蓋を通過して外側にこぼれてしまうこれらの欠点を改善する。
【課題を解決するための手段】
【０００４】
側溝蓋（1）表面（2）に、中心に向けて傾斜（3）を付けた集水機能付き側溝蓋とすることで前記欠点を改善する。
【考案の効果】
【０００５】
側溝は元来排水の為勾配に敷設してあり、かつコンクリート蓋は片方が切り欠いてあるので、切り欠きを水下にして蓋をすれば、自ずと水は中心に集まり素早く側溝に排水される。
【考案を実施するための最良の形態】
【０００６】
本考案でいう側溝蓋は、Ｕ字型側溝は勿論凹型など上部が開いている側溝であれば適用できる。
側溝蓋は、鉄筋コンクリート製は勿論、鉄製などの蓋にも適用できる。
側溝蓋の傾斜は、必須であるが排水が十分できてかつ通行上安全を損なわれない程度の角度があればよい。
また傾斜をつけて出来る最も低い位置は、蓋のほぼ中心が排水の機能の点で最も好ましいが、これに限定されない。
【図面の簡単な説明】
【０００７】
【図１】本考案の斜視図である。
【図２】本考案の立面図である。
【符号の説明】
【０００８】
１  コンクリート製蓋
２  表面
３  傾斜
４  切り欠き
【図１】
0003114372.tif 000003
【図２】
0003114372.tif 000004
(57)【要約】 【課題】  美術品又は工芸品として価値のある装飾品を提供するものであり、この装飾品を印鑑として提供する。【解決手段】  透明材料の円筒体１からなり、この透明な円筒体１内面に絵柄、彫刻等の装飾２を手書きして施してある。上記円筒体１の一端に無垢部３を設け、この無垢部表面に印鑑４を設けてあるとよい。【選択図】    図２
0003114381.tif 000002
【実用新案登録請求の範囲】
【請求項１】
透明材料の円筒体からなり、この透明な円筒体内面に絵柄、彫刻等の装飾を手書きして施してある装飾品。
【請求項２】
上記絵柄、彫刻等の装飾が着色された上記請求項１に記載の装飾品。
【請求項３】
上記円筒体の一端に無垢部を設け、この無垢部表面に印鑑を設けてある上記請求項１又は２に記載の装飾品。
【請求項４】
上記円筒体の無垢部の反対端にキャップを設けてある上記請求項３に記載の装飾品。
【請求項５】
上記円筒体内に発光体を設けてある上記請求項１〜４の何れかに記載の装飾品。
【考案の詳細な説明】
【技術分野】
【０００１】
本考案は、例えば印鑑基材等になる透明材料からなる装飾品に関する。
【背景技術】
【０００２】
透明な印鑑基材の内部に絵柄、彫刻等の装飾を施した印鑑基材又は装飾印鑑は公知である。
例えば、透明な筒体と、この筒体の内周面に積層された所定の絵柄を有する絵柄付きシート体と、この絵柄付きシート体の内側に注入された所定の合成樹脂からなる印鑑基材が知られている（例えば特許文献１）。
また、透明性を有した材質よりなる印鑑基材の内部に立体状物体、平板状物体、フイルム状物体又は箔片状物が収納されている装飾印鑑が知られている（たとえば特許文献２）。
【特許文献１】特開２００３−１７５６６２号公報
【特許文献２】実用新案登録第３１００３５０号公報
【考案の開示】
【考案が解決しようとする課題】
【０００３】
上記特許文献１，２の先行例に開示の考案は、ともに量産品として提供されるものであり、そこに美術品あるいは工芸品としての価値はない。
本考案は、美術品又は工芸品として価値のある装飾品を提供するものであり、この装飾品を印鑑として提供するものである。
【課題を解決するための手段】
【０００４】
そのために、本考案装飾品は、透明材料の円筒体からなり、この透明な円筒体内面に絵柄、彫刻等の装飾を手書きして施してある。
上記絵柄、彫刻等の装飾が着色されたものである。
【０００５】
上記円筒体の一端に無垢部を設け、この無垢部表面に印鑑を設けてある。
上記円筒体の無垢部の反対端にキャップを設けてある。
上記円筒体内に発光体を設けてある。
【考案の効果】
【０００６】
本考案の装飾品は、透明材料の円筒体からなり、この透明な円筒体内面に絵柄、彫刻等の装飾を手書きして施してあるから、量産品ではなく、美術品、工芸品としての一品として提供できる効果がある。
上記絵柄、彫刻等の装飾が着色されたものであるから、カラフルな美しい装飾品を提供できる。
【０００７】
上記円筒体の一端に無垢部を設け、この無垢部表面に印鑑を設けてあるから、美術品、工芸品としての一品を備える印鑑を提供できる効果がある。
上記円筒体の無垢部の反対端にキャップを設けてあるから、絵柄、彫刻等の手書きの装飾を塵埃から防御できる効果がある。
上記円筒体内に発光体を設けてあるから、発光体を発行させることにより、絵柄、彫刻等の装飾を美麗に表現することができる。
【考案を実施するための最良の形態】
【０００８】
図面に示した好ましい実施例により本考案の詳細を説明する。
図中符号１が透明材料の円筒体で、この透明材料は合成樹脂材、ガラス、水晶等、比較的硬めの透明材料であればよい。本考案では、この透明な円筒体１の内面に絵柄、彫刻等の装飾２を施してあり、この装飾を手書きしてある。この円筒体の内面に絵柄を施すには、筆柄の先端に直角に筆先を形成した筆を使用して絵柄を手書きする。同じく彫刻の場合には柄の先端に直角に彫刻刃を設けた道具を使用して手彫りする。  
【０００９】
上記円筒体１の一端に無垢部３を設けて、この無垢部３の表面に印鑑４を設けてある。また、上記円筒体１の無垢部３の反対端にはキャップ５を設けてある。
さらに、上記円筒体内に発光体（図示せず）を設けるとより効果的である。
【図面の簡単な説明】
【００１０】
【図１】本考案印鑑付き装飾品の斜視図。
【図２】本考案印鑑付き装飾品の断面図。
【図３】キャップを施した本考案印鑑付き装飾品の断面図。
【符号の説明】
【００１１】
１  円筒体
２  装飾
３  無垢部
４  印鑑
５  キャップ
【図１】
0003114381.tif 000003
【図２】
0003114381.tif 000004
【図３】
0003114381.tif 000005
(57)【要約】      （修正有）【課題】試着ツールとディスプレイとしての両効果が得られ、ピアス又はイヤリング等を容易に試着し、間接的に装着イメージを明確に実感させて品定めし易くする試着機能を有するピアス、イヤリング等のディスプレイ・スタンドディスプレイを提供する。【解決手段】所要面積と厚みとを有し、表面所要箇所に試着ツールの下端を嵌合する切込２０ａを形成したベース２０と、ピアス又はイヤリングを取り付ける試着ツール３０とから成り、該ベースの該切込内に該試着ツールの下端を嵌合自在とする。【選択図】図２
0003114103.tif 000002
【実用新案登録請求の範囲】
【請求項１】
所要面積と厚みとを有し、表面所要箇所に試着ツールの下端を嵌合する切込を形成したベースと、ピアス、イヤリング等を取り付ける試着ツールとから成り、該ベースの該切込内に該試着ツールの下端を嵌合自在とすることを特徴とするピアス、イヤリング等のディスプレイ・スタンド。
【請求項２】
該ベースと該試着ツールとを透明合成樹脂製として成る請求項１記載の試着機能を有するピアス、イヤリング等のディスプレイ・スタンド。
【考案の詳細な説明】
【技術分野】
【０００１】
この考案は、試着機能を有するピアス、イヤリング等のディスプレイ・スタンドに関し、更に詳しくはピアス、イヤリング等の商品の販売の際に使用され、購入者がピアス、イヤリング等を容易に試着し、間接的に装着イメージを明確に実感させて品定めし易くする試着機能を有するピアス、イヤリング等のディスプレイ・スタンドに関するものである。
【背景技術】
【０００２】
従来のピアス試着ツールは、次に示すフロー・チャートの数工程がとられている。
【表１】
0003114103.tif 000003
【０００３】
従来提案されているピアス試着ツール、イヤリング・スタンド又はディスプレイとしては、
例えば、
【特許文献１】特開平１１−３１２２７６、
【特許文献２】実用新案登録第３０３９２４９号、
【特許文献３】実用新案登録第３０７７８９７号、等が挙げられる。
【考案の開示】
【考案が解決しようとする課題】
【０００４】
しかし前述のフロー・チャートと図４、５に示す通り、ピアス、イヤリング等の販売の際に使用される公知のベース２、ディスプレイ・スタンド４及び試着ツール６は、ピアス、イヤリング等の商品８を試着する工程数が多くて極めて煩瑣であり、しかも試着だけの効果しか得られなかった。
【課題を解決するための手段】
【０００５】
この考案の第1要旨は、所要面積と厚みとを有し、表面所要箇所に試着ツールの下端を嵌合する切込を形成したベースと、ピアス、イヤリング等を取り付ける試着ツールとから成り、該ベースの切込内に該試着ツールの下端を嵌合自在とすることを特徴とし、試着ツールとディスプレイとしての両効果を得るピアス、イヤリング等のディスプレイ・スタンドである。
【０００６】
この考案の第２要旨は、ベースと試着ツールとを透明合成樹脂製として成る試着ツールとディスプレイとしての両効果を得るピアス、イヤリング等のディスプレイ・スタンドである。
【考案の効果】
【０００７】
（１）この考案に係る試着機能を有するピアス、イヤリング等のディスプレイ・スタンドによれば、間接的に装着イメージを明確に実感させて品定めし易くし、その結果試着ツールとディスプレイとしての両効果が得られる様になる。
【０００８】
（２）この考案によれば、試着ツールにディスプレイ・ベース（台座）から着脱出来る機能を付加することにより公知の試着ツールに比較して簡単に素早く試着でき、試着から商品収納までの工程を格段に少なくできる。
【０００９】
（３）この考案によれば、構成が簡単なので試着ツールとディスプレイ・スタンドとの製作、組立が共に容易となる。
【考案を実施するための最良の形態】
【００１０】
この考案に係る試着機能を有するピアス、イヤリング等のディスプレイ・スタンドは、表面所要箇所に試着ツールの下端を嵌合する切込を形成したベースと、ピアス、イヤリング等を取り付ける試着ツールとから成り、該ベースに該試着ツールの下端を嵌合自在とすることにより試着機能とディスプレイとの両効果が得られるピアス、イヤリング等のディスプレイ・スタンドである。
【実施例】
【００１１】
図１〜３に於いて、請求項１記載のこの考案に係るピアス、イヤリング等のディスプレイ・スタンドの実施例を説明する。
【００１２】
この考案に係る試着機能を有するピアス、イヤリング等のディスプレイ・スタンド１０は、所要面積と厚みとを有するベース２０と、それに装着される所要長さと厚み及び試着者の耳に当てられる長さとを有する試着ツール３０とから成る。
【００１３】
そして該ベース２０の表面に該試着ツール３０の下端３０ａを垂直に嵌合させる所要長さと幅とを有する複数の切込２０ａ、２０ａを穿設する。
【００１４】
該試着ツール３０は、その下端３０ａから頭部３０ｃに向かって所要幅と高さの本体部３０ｂを有し、該頭部３０ｃに商品であるピアス、イヤリング等４０を嵌合させる透孔（図示せず）を穿設する。
【００１５】
所望に応じ、請求項２記載のこの考案に係るピアス、イヤリング等のディスプレイ・スタンド１０のベース２０と該試着ツール３０とを透明合成樹脂製とするピアス、イヤリング等のディスプレイ・スタンドとする。
【００１６】
前述の通り、この考案に係る試着機能を有するピアス、イヤリング等のディスプレイ・スタンドは、試着機能とディスプレイ機能とを有する。
【００１７】
この考案に係る試着機能を有するピアス、イヤリング等のディスプレイ・スタンド１０は、次に示すフロー・チャートの様に少ない工程となる。
【表２】
0003114103.tif 000004
【図面の簡単な説明】
【００１８】
【図１】この考案に係る試着機能を有するピアス、イヤリング等のディスプレイ・スタンドの斜視図である。
【図２】図１に示すディスプレイ・スタンドから1本の試着ツールを取り外した状態を示す斜視図である。
【図３】図１、２に示すディスプレイ・スタンドの拡大平面図である。
【図４】公知の試着ツールとディスプレイ・スタンドの斜視図である。
【図５】公知の試着ツールを耳に当てている状態を示す部分斜視図である。
【符号の説明】
【００１９】
２      公知のベース；
４      公知のディスプレイ・スタンド；
６      公知の試着ツール
８      公知のピアス、イヤリング等の商品；
１０      この考案のディスプレイ・スタンド；
２０      この考案のベース；
２０ａ      切込；
３０      試着ツール；
３０ａ      下端；
３０ｂ      本体部；
３０ｃ      頭部；
４０    ピアス、イヤリング等。
【図１】
0003114103.tif 000005
【図２】
0003114103.tif 000006
【図３】
0003114103.tif 000007
【図４】
0003114103.tif 000008
【図５】
0003114103.tif 000009